(57)【要約】【課題】特に、着信先が着信応答する前に発信者から通知されたメッセージを知ることができるようにした移動電話機及び移動通信システムに関する。【解決手段】他の通信端末と基地局２０を介して通話可能な移動通信端末１０Ａであって、通話相手となる通信端末１０Ｂに対して通知する感情種別の一覧を保持する感情種別保持手段１４と、基地局２０に対する発呼メッセージの中に、通話相手となる通信端末に対して前記感情種別を示す情報を付加する感情種別情報付加手段と、を備えた。【選択図】    図１
2004289577.tif 000002
【特許請求の範囲】
【請求項１】
他の通信端末と基地局を介して通話可能な移動通信端末であって、
通話相手となる通信端末に対して通知する感情種別の一覧を保持する感情種別保持手段と、
前記基地局に対する発呼メッセージ中に、通話相手となる通信端末に対して前記感情種別を示す情報を付加する感情種別情報付加手段と、
を備えたことを特徴とする移動通信端末。
【請求項２】
他の通信端末と基地局を介して通話可能な移動通信端末であって、
通話相手となる通信端末から通知を受ける感情種別の一覧を保持する感情種別保持手段と、
前記基地局からの着呼メッセージの中に、前記感情種別を示す情報が付加されている場合に、該感情種別情報に基づいて前記感情種別保持手段から感情種別を選択する感情種別選択手段と、
前記感情種別選択手段によって選択された感情種別に基づいた着呼報知処理を行う感情種別処理手段と、
を備えたことを特徴とする移動通信端末。
【請求項３】
前記感情種別選択手段によって選択された感情種別を着信履歴と共に保持する感情種別履歴保持手段を備えたことを特徴とする請求項２に記載の移動通信端末。
【請求項４】
前記感情種別処理手段は、振動、背景色、音声及び表示画像のうち少なくとも一つによって感情種別に基づいた処理を行うことを特徴とする請求項２又は３に記載の移動通信端末。
【請求項５】
基地局と、前記基地局を介して通話可能な第１の移動通信端末及び第２の移動通信端末と、を備えた通信システムにおいて、
前記第１の移動通信端末は、
前記第２の通信端末に対して通知する感情種別の一覧を保持する感情種別保持手段と、
前記基地局に対する発呼メッセージ中に、前記第２の通信端末に対して通知する前記感情種別を示す情報を付加する感情種別情報付加手段と、を備え、
前記第２の移動通信端末は、
前記第１の通信端末から通知される感情種別の一覧を保持する感情種別保持手段と、
前記基地局からの着呼メッセージ中に、前記感情種別を示す情報が付加されている場合に、該感情種別情報に基づいて前記感情種別保持手段から感情種別を選択する感情種別選択手段と、
前記感情種別選択手段によって選択された感情種別に基づいた処理を行う感情種別処理手段と、を備え、
たことを特徴とする通信システム。
【請求項６】
前記第２の移動通信端末は、前記感情種別選択手段によって選択された感情種別を着信履歴と共に保持する感情種別履歴保持手段を備えたことを特徴とする請求項５に記載の通信システム。
【請求項７】
前記第２の移動通信端末は、前記感情種別処理手段は、振動、背景色、音声及び表示画像のうち少なくとも一つによって感情種別に基づいた処理を行うことを特徴とする請求項５又は６に記載の通信システム。
【発明の詳細な説明】
【０００１】
【発明が属する技術分野】
本発明は、電話機に関し、特に、着信先が着信応答する前に発信者から通知されたメッセージを知ることができるようにした移動電話機及び移動通信システムに関する。
【０００２】
【従来の技術】
従来の通信システムでは、例えば、通話やＳＭＳ（Ｓｈｏｒｔ  Ｍｅｓｓａｇｅ  Ｓｅｒｖｉｃｅ）等のメッセージを送ることで双方のコミュニケーションを図ることができる。
【０００３】
双方のコミュニケーションを図るために、発信側の通信端末が、着信側の通信端末に対して所定の情報を送り、着信側の通信端末の着信時の音量を該情報に対応して変更できるようにした通信システムも知られている（例えば、特許文献１及び特許文献２。）。この従来の通信システムでは、発信者側が受信者側の着信音量を設定できるので、例えば重要な通信の場合には着信音量を大きくして、着信者側に通信の重要性を知らせることができる。
【０００４】
【特許文献１】
特開平２−６５４９３号公報
【特許文献２】
特開平３−６９９６号公報
【０００５】
【発明が解決しようとする課題】
しかしながら、通話やＳＭＳ等では送信者がどのような感情で相手に対して通話を行おうとしているかは伝わりにくく、また、従来の通信端末のように着信音量を変更したとしても、着信者が不在時の場合は通信の重要性がわからず、着信履歴等を参照してもどの程度重要な着信であったかはわからなかった。
【０００６】
本発明は上記の問題点に鑑みてなされたものであり、通話を行おうとする送信者が着信者に対してどのような感情で通信を行おうとしているのかを着信通知とともに通知することのできる移動通信端末及び移動通信システムを提供することを目的とする。
【０００７】
【課題を解決するための手段】
本発明は、他の通信端末と基地局を介して通話可能な移動通信端末であって、通話相手となる通信端末に対して通知する感情種別の一覧を保持する感情種別保持手段と、前記基地局に対する発呼メッセージ中に、通話相手となる通信端末に対して前記感情種別を示す情報を付加する感情種別情報付加手段と、を備えたことを特徴とする。
【０００８】
また、本発明は、他の通信端末と基地局を介して通話可能な移動通信端末であって、通話相手となる通信端末から通知を受ける感情種別の一覧を保持する感情種別保持手段と、基地局からの着呼メッセージの中に、感情種別を示す情報が付加されている場合に、該感情種別情報に基づいて感情種別保持手段から感情種別を選択する感情種別選択手段と、感情種別選択手段によって選択された感情種別に基づいた着呼報知処理を行う感情種別処理手段と、を備えたことを特徴とする。
【０００９】
また、感情種別選択手段によって選択された感情種別を着信履歴と共に保持する感情種別履歴保持手段を備えることが好ましい。
【００１０】
さらに、感情種別処理手段は、振動、背景色、音声及び表示画像のうち少なくとも一つによって感情種別に基づいた処理を行うことが好ましい。
【００１１】
また、本発明は、基地局と、基地局を介して通話可能な第１の移動通信端末及び第２の移動通信端末と、を備えた通信システムにおいて、第１の移動通信端末は、第２の通信端末に対して通知する感情種別の一覧を保持する感情種別保持手段と、基地局に対する発呼メッセージ中に、第２の通信端末に対して通知する感情種別を示す情報を付加する感情種別情報付加手段と、を備え、第２の移動通信端末は、第１の通信端末から通知される感情種別の一覧を保持する感情種別保持手段と、基地局からの着呼メッセージ中に、感情種別を示す情報が付加されている場合に、感情種別情報に基づいて感情種別保持手段から感情種別を選択する感情種別選択手段と、感情種別選択手段によって選択された感情種別に基づいた処理を行う感情種別処理手段と、を備え、たことを特徴とする。
【００１２】
また、第２の移動通信端末は、感情種別選択手段によって選択された感情種別を着信履歴と共に保持する感情種別履歴保持手段を備えることが好ましい。
【００１３】
さらに、第２の移動通信端末は、感情種別処理手段は、振動、背景色、音声及び表示画像のうち少なくとも一つによって感情種別に基づいた処理を行うことが好ましい。
【００１４】
【発明の実施の形態】
以下に、本発明の実施の形態の通信システムについて、図面を参照して説明する。
【００１５】
図１は、本発明の第１の実施の形態の移動通信システムの構成を示すブロック図である。
【００１６】
移動電話機である移動通信端末１０Ａ及び１０Ｂが、基地局２０と無線通信回線によって接続されている。この基地局２０は公衆回線網又は専用線によって図示しない他の基地局２０や交換機、移動通信制御局に接続されており、移動通信端末１０Ａ及び１０Ｂは、いずれかの基地局２０と無線通信回線によって接続される。移動通信端末１０には、アンテナ１１、無線部１２、制御部１３、記憶部１４、バイブレータ１５、操作部１６、表示部１７等から構成されている。
【００１７】
無線部１２は、送受信部、ＲＦ制御部等から構成されており、基地局２０からの電波を受信し、基地局２０に対し電波を送信する。送受信部は送信部及び受信部によって構成され、送信部はアンテナ１１から送信する高周波信号を生成し、受信部はアンテナ１１で受信した高周波信号を増幅、周波数変換等をして、ベースバンド信号としてＲＦ制御部に出力する。ＲＦ制御部はベースバンド部及び無線制御部によって構成されており、ベースバンド部は、ベースバンド部内のコーデック部にて、ベースバンド信号を音声信号に復調する。また、コーデック部では音声信号を変調し、ベースバンド信号を生成する。さらに、無線制御部では、送受信部が送受信する周波数や、送受信タイミング、送信する電波の出力を制御する。
【００１８】
また、制御部１３は、主にＣＰＵによって構成されており、記憶部（ＲＡＭ及びＲＯＭ）１４に記憶されたデータに基づいて、無線部１２、バイブレータ１５、操作部１６、表示部１７等の携帯電話機の各部を制御する。また、記憶部１４には後述する感情テーブルも保持されている。
【００１９】
バイブレータ１５は、偏心した分銅が取り付けられたモータ等によって構成されており、制御部１３によってモータに電源を供給、又は電圧若しくは電流を制御することで移動通信端末１０に振動を発生させ、振動の時間や強弱を制御することで、利用者に着呼、メール着信等があった旨を通知することができる。
【００２０】
操作部１６は、利用者からの文字、数字の入力、携帯電話機への動作の指示を受け付け、また、表示部１７は、制御部１３からの文字情報、画像情報、携帯電話機の動作状態（電波強度、電池残量、時刻）等を表示する。
【００２１】
さらに、移動通信端末１０には、音響信号を電気信号に変換する送話部（図示省略）、電気信号を音響信号に変換する受話部（図示省略）を有している。
【００２２】
次に、上記のように構成された本発明の第１の実施の形態について、動作を説明する。
【００２３】
本発明の実施の形態では、発呼を行う移動通信端末１０Ａが、通信を開始する際に、感情種別（感情モード）を選択し、選択した感情モードを示す情報を発呼メッセージに含めて基地局２０に送り、基地局２０は受け取ったメッセージに基づいて、移動通信端末１０Ｂに対して感情モードを付加した着呼メッセージを送る。移動通信端末１０Ｂでは、着呼のメッセージに感情モードが付加されているか否かを判定し、感情モードが含まれている場合は、予め設定された感情モードの一覧から受け取った感情モードに対応する感情種別処理である着信通知（例えば、バイブレータの強さ、表示部に表示する色、画像等の表示）を行う。
【００２４】
図２は、本発明の実施の形態の移動通信端末１０が、発呼時の処理を表したフローチャートである。
【００２５】
まず、利用者が、操作部１６を操作して発呼先の相手の電話番号を入力する（ステップ１０１）。これは例えば、操作部１６の数字キーを用いて電話番号を直接入力する方法や、電話帳検索等の機能によって記憶部１４に保持されている電話帳データを参照することで相手先の電話番号が入力できる。
【００２６】
次に、感情モードが選択されたか否かを判定する（ステップ１０２）。この感情モードの入力は、移動通信端末１０がステップ１０１で電話番号が入力された後に感情モードの設定を促すメッセージを表示し、利用者が感情モードを設定する場合には、例えば操作部１６の数字キーのうち１から６のうちいずれか設定を希望する感情モードに対応したキーを入力し、感情モードを設定しない場合には数字キーの１から６以外を入力する。
【００２７】
なお、感情モードの設定は数字キーではなくメニューから選択できるように構成してもよい。
【００２８】
感情モードが選択されたと判定した場合、すなわち数字キーの１から６が入力された場合には、移動通信端末１０が基地局に対して送信する発呼メッセージにステップ１０２で設定した感情モードのうちのいずれかを示すデータを付加する（ステップ１０３）。一方、感情モードが選択されていないと判定した場合、すなわち数字キーの１から６以外が入力された場合にはステップ１０４に移行する。
【００２９】
ステップ１０４では、ステップ１０１で設定した電話番号に対して発呼処理を行う。
【００３０】
図３は、本発明の実施の形態の移動通信端末１０に設定される感情モードを表したテーブルである。
【００３１】
図３の例では、「うれしい」、「怒り」、「悲しい」、「寂しい」、「楽しい」、「笑い」及び、感情モードなし、の７種類の感情モードに対して、感情モードと数字キーとの対応、感情モードと移動通信端末に行わせる処理との対応を表したものである。この感情テーブルは予め発呼側の移動通信端末１０Ａの記憶部１４、及び、着呼側の移動通信端末１０Ｂの記憶部１４に保持されている。
【００３２】
例えば、感情モードが「うれしい」の場合は、前記図２のステップ１０２で設定する数字キーは「１」であり、この感情モードを設定した場合、相手先の移動通信端末１０では、着呼時に、表示部１７の背景を「ピンク」とする、バイブレータ１５の強度を０（バイブレータ１５を動作させない）で着呼を報知する、「画像１」を表示部１７に表示する、「嬉」の文字を表示部１７に表示する、のいずれかで着呼を報知することができる。この表示又はバイブレータの動作のいずれかを行うかは着呼側の移動通信端末１０の利用者が選択でき、複数の動作を選択することもできる。
【００３３】
なお、この感情テーブルに規定される感情モードは、利用者によって編集、追加、削除を行うことができ、例えば、移動通信端末１０に内蔵されたカメラによって撮影した画像を設定したオリジナルの感情モードを追加することもできる。さらに、メール等の機能を使用することによって利用者間で感情モードのデータを受け渡しすることで、特定の利用者の間で特有の感情テーブルを共有して利用することもできる。
【００３４】
図４は、感情モードを設定した場合の相手先の移動通信端末１０Ｂの表示部１７に表示される画面の説明図であり、利用者が画像を表示することを選択した場合において、図４（Ａ）は、感情モードを「うれしい」に設定した場合、図４（Ｂ）は、感情モードを「怒り」に設定した場合、着呼時に表示される画像の例である。
【００３５】
次に、感情モードを付加した発呼処理について説明する。
【００３６】
図５は、本発明の実施の形態の移動通信端末１０Ａが基地局２０を経由して移動通信端末１０Ｂに対する発呼処理を表したシーケンス図である。
【００３７】
まず移動通信端末１０Ａは、基地局２０に対して発呼処理（図２）を行い、発呼メッセージを基地局２０に対して送信する。この発呼メッセージの詳細は図６において後述する。
【００３８】
基地局２０はこの発呼メッセージを受け取ると、メッセージを受け取った旨のＡＣＫメッセージを移動通信端末１０Ａに対して送信する。次に、基地局２０は、移動通信端末１０Ｂに対して着呼がある旨を通知するページングメッセージを送信する。移動通信端末１０Ｂがページングメッセージを受信し、受信した旨のＡＣＫメッセージを送信すると、通話チャネルに関する情報が送信される。その後、基地局２０は、発呼メッセージに基づいてインフォメーションメッセージを移動通信端末１０Ｂに対して送信する。このインフォメーションメッセージの詳細は図７において後述する。
【００３９】
なお、移動通信端末１０Ａが通信を行う基地局と移動通信端末１０Ｂが通信を行う基地局は同一でなくてもよい。この場合、基地局と基地局の間は専用線等によって接続され各メッセージが交換される。
【００４０】
移動通信端末１０Ｂは、インフォメーションメッセージを受け取った旨を示すＡＣＫメッセージを基地局２０に対して送信し、インフォメーションメッセージに含まれている内容に基づいて、着信処理を行う。この着信処理の詳細は図８において後述する。
【００４１】
着信処理によって移動通信端末１０Ｂが応答操作を行うと、オフフックメッセージを基地局２０に送信する。基地局２０はこのオフフックメッセージを受け取った旨のＡＣＫを移動通信端末１０Ｂに送信し、次に移動通信端末１０Ａに対してオフフックメッセージを送信する、移動通信端末１０Ａはこのオフフックメッセージを受け取った旨のＡＣＫを基地局２０に対して送信すると、移動通信端末１０Ａと移動通信端末１０Ｂとの間で通信回線が設定され、通話を行うことができる。
【００４２】
図６は、本発明の実施の形態の移動通信端末１０Ａが基地局２０に対して送信する発呼メッセージの構成図である。
【００４３】
フィールド１００１には、「発呼の意味」及び「発信側移信端末ＩＤ」が含まれている。「発呼の意味」は移動通信端末が行う発呼の種別を示すものであり、例えば通話目的の発信、ＳＭＳ送信、Ｗｅｂ接続等の発呼の種別を示す情報が含まれる。また、発信者側通信端末ＩＤは、発呼を行う移動通信端末１０Ａが固有に持つＩＤを示す情報が含まれており、基地局２０がどの移動通信端末からのメッセージであるかを識別するために用いられる。
【００４４】
フィールド１００２は、フィールド１００１の発呼の意味に規定された内容に対応する情報が含まれる。図６に示す例では、発呼が通話目的の発信である場合のフィールド１００２に含まれる内容を例示しており、自局番号、相手番号、Ｄｉｓｐｌａｙ，発信番号通知制限が含まれている。
【００４５】
自局番号は発呼を行う移動通信端末１０Ａの電話番号を示す情報が含まれており、相手番号は着呼を受ける移動通信端末１０Ｂの電話番号を示す情報が含まれている。
【００４６】
Ｄｉｓｐｌａｙは、基地局が着呼を受ける移動通信端末１０Ｂに対して表示を行う表示情報を格納するための８ビットのフィールドであり、本発明の実施の形態では、このＤｉｓｐｌａｙフィールドに感情モードを示す情報（例えば１〜９及び０の数値）を格納する。
【００４７】
また、発信番号通知制限は、着呼を受ける移動通信端末１０Ｂに対して発呼を行う移動通信端末１０Ａの電話番号を通知するか否かを示すためのフィールドである。
【００４８】
フィールド１００３はメッセージの終了を示すためのフィールドである。
【００４９】
図７は、本発明の実施の形態の基地局２０から移動通信端末１０Ｂに対して送信されるインフォメーションメッセージの構成図である。
【００５０】
フィールド１１０１には、「着呼の意味」及び「発信側移信端末ＩＤ」が含まれている。「着呼の意味」は前述した図６の「発呼の意味」と同様の内容が含まれており、例えば通話目的の着信、ＳＭＳ受信等の種別を示す情報が含まれる。また、着信者側通信端末ＩＤは、着呼を受ける移動通信端末１０Ｂが固有に持つＩＤを示す情報が含まれており、基地局２０がどの移動通信端末１０に対するメッセージであるかを識別させるために用いられる。
【００５１】
フィールド１１０２は、フィールド１１０１の着呼の意味に規定された内容に対応する情報が含まれる。図６に示す例と同様に、図７に示す例では、着呼が通話目的である場合のフィールド１１０２に含まれる内容を例示しており、自局番号、相手番号、Ｄｉｓｐｌａｙ，発信番号通知制限が含まれている。このＤｉｓｐｌａｙフィールドには、感情モードを示す情報が格納されており、着呼を受けた移動通信端末１０Ｂは、このＤｉｓｐｌａｙフィールドの内容を判定して、図８に後述する着呼処理を行う。
【００５２】
フィールド１１０３はメッセージの終了を示すためのフィールドである。
【００５３】
図８は、本発明の実施の形態の移動通信端末１０が、着信を受け付けたときの処理を表すフローチャートである。
【００５４】
まず、基地局から送られる着呼のメッセージ（インフォメーションメッセージ）に感情モードが含まれているか否かを判定する（ステップ２０１）。感情モードが含まれていればステップ２０２に移行し、感情モードが含まれていなければステップ２０４に移行する。
【００５５】
ステップ２０２では、受け取った感情モードを感情テーブル（図３参照）から検索して選択する。そして、選択された感情モードが示す処理（例えば、ＬＣＤの色、バイブレータの強度等）を実行する（ステップ２０３）。
【００５６】
次に、ステップ２０４では、着信音の再生や、発呼者の電話番号又は電話番号に対応する名前等を表示する着信通知処理を行う。
【００５７】
次に、着信通知に対して利用者から応答処理がされたか否かを判定する（ステップ２０５）。応答処理がされたと判定した場合には通話を開始する（ステップ２０６）。応答処理がされていないと判定した場合には、所定の時間経過後着呼を終了し、着信履歴に発呼を行った移動通信端末１０の電話番号やその他の情報を書き込み（ステップ２０７）、待ち受け処理に移行する（ステップ２０８）。
【００５８】
図９は、本発明の実施の形態の移動通信端末１０の着信履歴に記録される情報の例を表す。
【００５９】
表の上段は、２月８日の１５時０５分に、感情モードが「怒り」の着信が「○○  ××」という名前の発信者からあったことを示す。また、図の中段は、２月８日の１５時００分に、感情モードが含まれていない着信が「○○  ××」という名前の発信者からあったことを示す。
【００６０】
以上のように構成された本発明の実施の形態の通信システムでは、発呼を行う移動通信端末１０Ａが基地局２０に対して送信する発呼メッセージに感情モードを示す情報を含め、さらに基地局２０が着呼を受ける移動通信端末１０Ｂに対して送信するインフォメーションメッセージに発呼メッセージに含まれた感情モードを含めるので、着呼通知時に感情テーブルに対応した処理を移動通信端末１０Ｂに対して行わせることができる。
【００６１】
【発明の効果】
本発明は、発呼を行う移動通信端末が送信するメッセージの中に感情種別通知情報を含め、該感情種別通知情報を受け取った移動通信端末が、感情種別通知情報に規定された処理を行うので、通話やメール等のコミュニケーションでは伝わりにくいニュアンスを的確に伝えることができ、感情に応じたコミュニケーションを図ることができる。また、着呼を受ける移動通信端末に感情種別を含めた履歴が残るので、着信者が対応する優先度を明確にできる。
【図面の簡単な説明】
【図１】本発明の実施の形態の通信システムの構成を示すブロック図である。
【図２】同じく、移動通信端末１０の発呼時の処理のフローチャートである。
【図３】同じく、移動通信端末１０に設定される感情モードを表したテーブルである。
【図４】同じく、感情モードを設定した場合の相手先の移動通信端末１０に表示される画面の説明図である。
【図５】同じく、発呼処理のシーケンス図である。
【図６】同じく、発呼メッセージの構成図である。
【図７】同じく、インフォメーションメッセージの構成図である。
【図８】同じく、着信受付処理のフローチャートである。
【図９】同じく、着信履歴に記録される情報の説明図である。
【符号の説明】
１０Ａ、１０Ｂ  移動通信端末
１１  アンテナ
１２  無線部
１３  制御部
１４  記憶部
１５  バイブレータ
１６  操作部
１７  表示部
２０  基地局
【図１】
2004289577.tif 000003
【図２】
2004289577.tif 000004
【図３】
2004289577.tif 000005
【図４】
2004289577.tif 000006
【図５】
2004289577.tif 000007
【図６】
2004289577.tif 000008
【図７】
2004289577.tif 000009
【図８】
2004289577.tif 000010
【図９】
2004289577.tif 000011